(57)【要約】  【課題】複数個の出力トランスを用いて複数のランプを駆動するとき、出力トランスの特性のバラツキにより、各ランプの明るさに差異が生じるのを防止する。  【解決手段】１入力複数出力型の互いに同一規格の出力トランスＴ１，Ｔ２の交流電圧信号が入力される一次側入力端子を並列に接続する。出力トランスＴ１の二次側高圧出力端子ｅ，ｆに、互いに直列に接続された各一対の照明器具１８，２４と２０，２２の一方側の電極を接続し、該各一対の照明器具１８，２４と２０，２２の他方側の電極を、出力トランスＴ１の二次側高圧出力端子ｅ，ｆに対応する他方の出力トランスＴ２の二次側高圧出力端子ｈ，ｇに接続し、出力トランスＴ１，Ｔ２の二次側の低圧端子ａ，ｂ，ｃ，ｄをアースに接続する。【選択図】図１
2006127789.tif 000002
【特許請求の範囲】
【請求項１】
１入力複数出力型の互いに同一規格の複数個の出力トランスの各一次側を互いに接続し、該一次側に交流信号を入力して、各出力トランスの二次側に高圧出力を誘起し、該高圧出力によって複数の照明器具を駆動するための照明器具駆動回路であって、前記複数の照明器具の中、１本又は互いに直列に接続された複数の照明器具の一方側の電極を、前記複数の出力トランスの中の少なくとも一対の出力トランスの中の、一方の出力トランスの二次側高圧出力端子に接続し、前記１本又は互いに直列に接続された複数の照明器具の他方側の電極を、前記一方の出力トランスの二次側高圧出力端子とは逆相の、前記一対の出力トランスの中の他方の二次側高圧出力端子に接続したことを特徴とする照明器具駆動回路。
【請求項２】
前記出力トランスは１入力２出力型の巻線トランスであり、前記照明器具が冷陰極蛍光ランプであることを特徴とする請求項１に記載の照明器具駆動回路。
【請求項３】
前記複数個の出力トランスは２個の１入力２出力型の巻線型トランスであり、該２個の巻線型トランスの中の一方の巻線型トランスの二次側高圧端子と該高圧端子と逆相の他方の巻線型トランスの二次側高圧端子との間に、１本の又は直列に接続した複数本の照明器具を接続したことを特徴とする請求項１に記載の照明器具駆動回路。
【請求項４】
前記複数個の出力トランスは２個の１入力多出力型の出力トランスであり、該２個の出力トランスの中の一方の出力トランスの一つの二次側高圧端子と、該二次側高圧端子とは逆相の、前記２個の出力トランスの中の他方の出力トランスの１つの二次側高圧端子との間に、照明器具を接続し、各出力トランスの各々の２つの互いに逆相の二次側高圧端子間に、照明器具を接続し、各出力トランスの各々の残りの１個の二次側高圧端子と二次側グランド端子との間に各々照明器具を接続したことを特徴とする請求項１に記載の照明器具駆動回路。
【請求項５】
前記複数個の出力トランスは２個の１入力多出力型の出力トランスであり、該２個の出力トランスの中の一方の出力トランスの各二次側高圧端子ｉ，ｊ，ｋ，ｌと、該二次側高圧端子ｉ，ｊ，ｋ，ｌとは逆相の、前記２個の出力トランスの中の他方の出力トランスの各二次側高圧端子ｐ，ｏ，ｎ，ｍとの間に、照明器具を接続し、前記２個の出力トランスの二次側低圧端子ａ，ｂ，ｃ，ｄ，ｅ，ｆ，ｇ，ｈをそれぞれ接地したことを特徴とする請求項１に記載の照明器具駆動回路。
【請求項６】
前記複数個の出力トランスは少なくとも３個の１入力複数出力型の巻線トランスであり、該少なくとも３個の巻線トランスの中の１つの巻線型トランスの二次側高圧端子と、他の巻線型トランスの中の１つの巻線型トランスの前記二次側高圧端子と逆相の二次側高圧端子とを、１本の又は直列に接続した複数本の照明器具を介して接続し、全ての巻線型トランスの二次側高圧端子をループ状に接続したことを特徴とする請求項１に記載の照明器具駆動回路。
【請求項７】
前記二次巻線を複数本の並列状に並べたワイヤで構成したことを特徴とする請求項１乃至請求項６の中のいずれか１つの請求項に記載の照明器具駆動回路。
【請求項８】
前記出力トランスは、コアが挿入されたボビンに一次巻線と二次巻線を装着した巻線型トランスであって、前記ボビンに第１の二次巻線を巻き回し、該二次巻線の上に絶縁材を介して前記第１の二次巻線と同一巻き数の第２の二次巻線を巻き回し、ボビン上に複数個の互いに同一巻き数の二次巻線を積層して構成したものであることを特徴とする請求項１乃至請求項６の中のいずれか１つの請求項に記載の照明器具駆動回路。
【請求項９】
１入力複数出力型の複数個の出力トランスの一次側をそれぞれ接続し、各出力トランスの二次側にそれぞれ照明器具を接続し、各出力トランスの二次側に誘起される高圧出力によって複数の照明器具を点灯するための照明器具駆動回路であって、前記各出力トランスの全ての二次出力端を、逆相同士の二次出力端が接続するように、直列に閉ループ状に接続してループ回路とし、前記出力トランスの二次出力端と、該出力端と逆相の他の出力トランスの出力端との間に照明器具を接続したことを特徴とする照明器具駆動回路。
【請求項１０】
前記二次出力端とこれと逆相の二次出力端との接続点に、異常電圧を検知するための回路を接続したことを特徴とする請求項９に記載の照明器具駆動回路。
【請求項１１】
前記二次出力端とこれと逆相の二次出力端との接続点に、電圧クランプ回路を接続したことを特徴とする請求項９に記載の照明器具駆動回路。
【請求項１２】
前記複数の出力トランスの二次側の複数の各コイルの片側を互いに短絡したことを特徴とする請求項９に記載の照明器具駆動回路。
【請求項１３】
前記二次側の各コイルの片側を互いに短絡する線を高抵抗素子を介して接地したことを特徴とする請求項１２に記載の照明器具駆動回路。
【請求項１４】
前記複数の出力トランスの各々は、同一コアに４個の二次コイルを有し、該４個の二次コイルの片側を全て短絡し、該短絡線を高抵抗素子を介して接地したことを特徴とする請求項９に記載の照明器具駆動回路。
【請求項１５】
前記複数の照明器具を、基板上に、互いに平行となるように並列に配置し、各照明器具の互いに隣接する一端の端子が逆相となるようにしたことを特徴とする請求項１又は請求項９に記載の照明器具駆動回路。
【請求項１６】
１入力複数出力型の複数個の出力トランスの一次側をそれぞれ接続し、各出力トランスの二次側にそれぞれ照明器具を接続し、各出力トランスの二次側に誘起される高圧出力によって複数の照明器具を点灯するための照明器具駆動回路であって、前記各出力トランスの二次出力端を、逆相同士の二次出力端が接続するように、直列に閉ループ状に接続してループ回路とし、該ループ回路に複数の照明器具を、両端の電極に逆相の電圧が印加されるように接続したことを特徴とする照明器具駆動回路。
【請求項１７】
１入力多出力型の単一の出力トランスの二次側に多数の照明器具を接続し、該出力トランスの二次側に誘起される高圧出力によって多数の照明器具を点灯するための照明器具駆動回路であって、前記出力トランスの複数の二次出力端を、逆相同士の二次出力端が接続するように、直列に閉ループ状に接続してループ回路とし、該ループ回路に、多数の照明器具を、それらの両端の電極に逆相の電圧が印加されるように、接続したことを特徴とする照明器具駆動回路。
【請求項１８】
前記多数の照明器具を、基板上に、互いに平行となるように並列に配置し、各照明器具の互いに隣接する一端の端子が逆相となるようにしたことを特徴とする請求項１７に記載の照明器具駆動回路。
【請求項１９】
前記出力トランスのコアは、一対の平行コア部分と、該平行コア部分を結合する垂直コア部分を備え、該コア部分の中、垂直コア部分に１次巻線が装着され、一対の平行コア部分に、それぞれ一対の２次巻線を互いに適宜の間隔を存して装着した１入力４出力型の巻線トランスであることを特徴とする請求項１又は請求項９に記載の照明器具用駆動回路。
【請求項２０】
前記出力トランスのコアは、直線コア部分を有し、該直線コア部分の真ん中に１次巻線が装着され、その両側に２次巻線が装着された１入力２出力型の巻線トランスであることを特徴とする請求項１又は請求項９に記載の照明器具用駆動回路。
【請求項２１】
前記出力トランスのコアは、一対の直線方向に延びる平行コア部分を有し、該平行コア部分の各々の真ん中に１次巻線が装着され、該各１次巻線の両側に２次巻線が装着された１入力４出力型の巻線トランスであることを特徴とする請求項１又は請求項９に記載の照明器具用駆動回路。
【請求項２２】
一対の平行コア部分と、該平行コア部分の両端に接続する断面コ字状の結合コア部分とを有し、前記一対の平行コア部分の各々の真ん中に１次巻線を装着し、これら１次巻線の両側に２次巻線を装着して１入力４出力型の巻線トランスを構成し、前記１次巻線に交流信号を入力して、前記二次巻線に高圧出力を誘起し、該高圧出力によって複数の照明器具を駆動するようになし、前記複数の照明器具の中、１本又は互いに直列に接続された複数の照明器具の一方側の電極を、前記複数の二次巻線の中の１つの高圧出力端子に接続し、前記１本又は互いに直列に接続された複数の照明器具の他方側の電極を、前記二次巻線の高圧出力端子とは逆相の、前記複数の二次巻線の中の他の二次巻線の高圧出力端子に接続したことを特徴とする照明器具駆動回路。
【発明の詳細な説明】
【技術分野】
【０００１】
本発明は、冷陰極型蛍光ランプあるいはＥＬ板（エレクトリロルミネッセンス板）などの照明器具を駆動するインバータ等に用いられる駆動回路に関する。
【背景技術】
【０００２】
従来、複数の放電灯を駆動する回路として多灯式リーケージトランスを用いたバラストレス型放電灯駆動回路が知られている（例えば特許文献１参照）。また、複数の出力トランスの一次側を並列に接続し、各出力トランスの二次側に放電灯を接続して駆動する放電灯駆動回路が開発されている。
また、従来、１入力２出力の巻線型トランスの二次側高圧端子用いて、複数の冷陰極型蛍光ランプなどの照明器具を駆動する場合には、図２３に示すように、各トランスＴ１，Ｔ２，Ｔ３の一次側を並列接続し、各トランスＴ１，Ｔ２，Ｔ３ごとに、独立して図示のように照明器具Ｌ１〜Ｌ６を接続している。
【特許文献１】特開２００２−０７５７５６号公報（段落００１２，第１１図）
【発明の開示】
【発明が解決しようとする課題】
【０００３】
複数の出力トランスの一次側を並列に接続し、各出力トランスごとに冷陰極蛍光ランプなどのランプを駆動する場合、同じ規格であっても出力トランスや負荷の特性にバラツキが生じ、これにより各出力トランスに接続されているランプの明るさにバラツキが生じてしまう。また、１入力多出力型のトランスの多数の二次巻き線に多数の冷陰極蛍光ランプなどのランプを接続し、該ランプを駆動する場合、各二次巻線が同じ規格であっても負荷の特性にバラツキが生じ、これにより各二次巻き線に接続されているランプの明るさにバラツキが生じてしまう。
本発明は上記問題点を解決することを目的とする。
【０００４】
また、複数のランプを駆動する場合、ランプの一方の電極を出力トランスの二次側高圧端子に接続し、他方の電極をアースに落としてランプを駆動する方式（特許文献１参照）が一般的であるが、この方式はランプの一端側がアースされるため、ランプ供給経路の浮遊容量の存在により、ランプに供給される電流がアース側に逃げてしまう。そのため、ランプの一端側の電圧が低くなってしまい、出力トランスの高圧端子接続側が明るく、アース側が暗くなり、また、ランプ間にも輝度にムラが生じてしまう。
本発明の他の目的は上記問題点を解決することである。
【課題を解決するための手段】
【０００５】
上記目的を達成するため本発明は、  １入力複数出力型の互いに同一規格の複数個の出力トランスの各一次側を互いに接続し、該一次側に交流信号を入力して、各出力トランスの二次側に高圧出力を誘起し、該高圧出力によって複数の照明器具を駆動するための照明器具駆動回路であって、前記複数の照明器具の中、１本又は互いに直列に接続された複数の照明器具の一方側の電極を、前記複数の出力トランスの中の少なくとも一対の出力トランスの中の、一方の出力トランスの二次側高圧出力端子に接続し、前記１本又は互いに直列に接続された複数の照明器具の他方側の電極を、前記一方の出力トランスの二次側高圧出力端子とは逆相の、前記一対の出力トランスの中の他方の二次側高圧出力端子に接続したものである。
また本発明は、前記出力トランスは１入力２出力型の巻線トランスであり、前記照明器具が冷陰極蛍光ランプであることを特徴とするものである。
また本発明は、前記複数個の出力トランスは２個の１入力２出力型の巻線型トランスであり、該２個の巻線型トランスの中の一方の巻線型トランスの二次側高圧端子と該高圧端子と逆相の他方の巻線型トランスの二次側高圧端子との間に、１本の又は直列に接続した複数本の照明器具を接続したものである。
また本発明は、前記複数個の出力トランスは２個の１入力多出力型の出力トランスであり、該２個の出力トランスの中の一方の出力トランスの一つの二次側高圧端子と、該二次側高圧端子とは逆相の、前記２個の出力トランスの中の他方の出力トランスの１つの二次側高圧端子との間に、照明器具を接続し、各出力トランスの各々の２つの互いに逆相の二次側高圧端子間に、照明器具を接続し、各出力トランスの各々の残りの１個の二次側高圧端子と二次側グランド端子との間に各々照明器具を接続したものである。
また本発明は、前記複数個の出力トランスは２個の１入力多出力型の出力トランスであり、該２個の出力トランスの中の一方の出力トランスの各二次側高圧端子ｉ，ｊ，ｋ，ｌと、該二次側高圧端子ｉ，ｊ，ｋ，ｌとは逆相の、前記２個の出力トランスの中の他方の出力トランスの各二次側高圧端子ｐ，ｏ，ｎ，ｍとの間に、照明器具を接続し、前記２個の出力トランスの二次側低圧端子ａ，ｂ，ｃ，ｄ，ｅ，ｆ，ｇ，ｈをそれぞれ接地したものである。
また本発明は、前記複数個の出力トランスは少なくとも３個の１入力複数出力型の巻線トランスであり、該少なくとも３個の巻線トランスの中の１つの巻線型トランスの二次側高圧端子と、他の巻線型トランスの中の１つの巻線型トランスの前記二次側高圧端子と逆相の二次側高圧端子とを、１本の又は直列に接続した複数本の照明器具を介して接続し、全ての巻線型トランスの二次側高圧端子をループ状に接続したものである。
また本発明は、前記二次巻線を複数本の並列状に並べたワイヤで構成したものである。
また本発明は、前記出力トランスは、コアが挿入されたボビンに一次巻線と二次巻線を装着した巻線型トランスであって、前記ボビンに第１の二次巻線を巻き回し、該二次巻線の上に絶縁材を介して前記第１の二次巻線と同一巻き数の第２の二次巻線を巻き回し、ボビン上に複数個の互いに同一巻き数の二次巻線を積層して構成したものである。
また本発明は、１入力複数出力型の複数個の出力トランスの一次側をそれぞれ接続し、各出力トランスの二次側にそれぞれ照明器具を接続し、各出力トランスの二次側に誘起される高圧出力によって複数の照明器具を点灯するための照明器具駆動回路であって、前記各出力トランスの全ての二次出力端を、逆相同士の二次出力端が接続するように、直列に閉ループ状に接続してループ回路とし、前記出力トランスの二次出力端と、該出力端と逆相の他の出力トランスの出力端との間に照明器具を接続したものである。
また本発明は、前記二次出力端とこれと逆相の二次出力端との接続点に、異常電圧を検知するための回路を接続したものである。
また本発明は、前記二次出力端とこれと逆相の二次出力端との接続点に、電圧クランプ回路を接続したものである。
また本発明は、前記複数の出力トランスの二次側の複数の各コイルの片側を互いに短絡したものである。
また本発明は、前記二次側の各コイルの片側を互いに短絡する線を高抵抗素子を介して接地したものである。
また本発明は、前記複数の出力トランスの各々は、同一コアに４個の二次コイルを有し、該４個の二次コイルの片側を全て短絡し、該短絡線を高抵抗素子を介して接地したことを特徴とするものである。
また本発明は、１入力複数出力型の複数個の出力トランスの一次側をそれぞれ接続し、各出力トランスの二次側にそれぞれ照明器具を接続し、各出力トランスの二次側に誘起される高圧出力によって複数の照明器具を点灯するための照明器具駆動回路であって、前記各出力トランスの二次出力端を、逆相同士の二次出力端が接続するように、直列に閉ループ状に接続してループ回路とし、該ループ回路に複数の照明器具を、両端の電極に逆相の電圧が印加されるように接続したものである。
また本発明は、１入力多出力型の単一の出力トランスの二次側に多数の照明器具を接続し、該出力トランスの二次側に誘起される高圧出力によって多数の照明器具を点灯するための照明器具駆動回路であって、前記出力トランスの全ての又は複数の二次出力端を、逆相同士の二次出力端が接続するように、直列に閉ループ状に接続してループ回路とし、該ループ回路に、多数の照明器具を、それらの両端の電極に逆相の電圧が印加されるように、接続したものである。
また本発明は、前記複数の照明器具を、基板上に、互いに平行となるように並列に配置し、各照明器具の互いに隣接する一端の端子が逆相となるようにしたものである。
また本発明は、前記出力トランスのコアは、一対の平行コア部分と、該平行コア部分を結合する垂直コア部分を備え、該コア部分の中、垂直コア部分に１次巻線が装着され、一対の平行コア部分に、それぞれ一対の２次巻線を互いに適宜の間隔を存して装着した１入力４出力型の巻線トランスであることを特徴とするものである。
また本発明は、前記出力トランスのコアは、直線コア部分を有し、該直線コア部分の真ん中に１次巻線が装着され、その両側に２次巻線が装着された１入力２出力型の巻線トランスであることを特徴とするものである。
また本発明は、前記出力トランスのコアは、一対の直線方向に延びる平行コア部分を有し、該平行コア部分の各々の真ん中に１次巻線が装着され、該各１次巻線の両側に２次巻線が装着された１入力４出力型の巻線トランスであることを特徴とするものである。
また本発明は、一対の平行コア部分と、該平行コア部分の両端に接続する断面コ字状の結合コア部分とを有し、前記一対の平行コア部分の各々の真ん中に１次巻線を装着し、これら１次巻線の両側に２次巻線を装着して１入力４出力型の巻線トランスを構成し、前記１次巻線に交流信号を入力して、前記二次巻線に高圧出力を誘起し、該高圧出力によって複数の照明器具を駆動するようになし、前記複数の照明器具の中、１本又は互いに直列に接続された複数の照明器具の一方側の電極を、前記複数の二次巻線の中の１つの高圧出力端子に接続し、前記１本又は互いに直列に接続された複数の照明器具の他方側の電極を、前記二次巻線の高圧出力端子とは逆相の、前記複数の二次巻線の中の他の二次巻線の高圧出力端子に接続したものである。
【発明の効果】
【０００６】
本発明は出力トランスに接続された複数の照明器具の明るさのバラツキを少なくすることができる。
【発明を実施するための最良の形態】
【０００７】
以下に本発明の実施の形態を添付した図面を参照して詳細に説明する。
図１において、Ｔ１，Ｔ２は巻線型の１入力２出力型の互いに同一構造同一規格の高圧用出力トランスであり、一次側の入力巻線２，４がリード線６，８によって並列に接続されている。出力トランスＴ１の入力端子Ａ，Ｂ間には共振コンデンサＣｏと一次巻き線２のＬとで直列共振回路が構成されている。入力端子Ａ，Ｂは、インバータ回路が接続され、入力端子Ａ，Ｂにインバータ回路から出力される交流電圧が入力されるように構成されている。各出力トランスＴ１，Ｔ２の二次巻線１０，１２，１４，１６の各一端ａ，ｂ，ｃ，ｄは端子を介してアースに接続している。
【０００８】
１８，２４は冷陰極型蛍光ランプであり、互いに直列に接続されている。ランプ１８の一端の電極は、バラストコンデンサＣ１を介して出力トランスＴ１の二次巻線１０の高圧端子ｅに接続している。ランプ２４の一端の電極は、バラストコンデンサＣ４を介して、出力トランスＴ２の二次巻線１６の高圧端子ｈに接続している。端子ｅと端子ｈは互いに逆相の関係にある。２０，２２は互いに直列に接続された一対の冷陰極型蛍光ランプであり、ランプ２０の一端の電極はバラストコンデンサＣ２を介して、出力トランスＴ１の二次巻線１２の高圧端子ｆに接続している。ランプ２２の一端の電極はバラストコンデンサＣ３を介して、出力トランスＴ２の二次巻線の高圧端子ｇに接続している。端子ｆと端子ｇは互いに逆相の関係にある。
【０００９】
上記した構成において、入力端子Ａ，Ｂに交流電圧が入力され、出力トランスＴ１，Ｔ２の二次側に高圧の交流電圧が誘起されると、各ランプ１８，２０，２２，２４の両端に高圧交流電圧が印加され、各ランプ１８，２０，２２，２４が点灯する。各ランプには両端に高圧が印加されるため明暗のムラが生じることがない。また、このとき、出力トランスＴ１，Ｔ２、ランプ、バラストコンデンサ等に特性のバラツキがあっても、出力トランスＴ１，Ｔ２の二次側が互いに接続され関連性が生じることによって、出力トランスＴ１，Ｔ２間の特性のバラツキが解消される。これにより、４本のランプ１８，２０，２２，２４は出力トランスＴ１，Ｔ２の二次側の平均化された特性によって駆動されることになり、各ランプ１８，２０，２２，２４間の明るさに差異が生じることがない。
【００１０】
上記実施形態では、出力トランスとして１入力２出力型の巻線型トランスを用い、負荷として冷陰極蛍光ランプを用いた例について説明したが、これらの構成に特に限定されるものではなく、出力トランスとして複数出力型の圧電トランスを用い、負荷としてＥＬ板や熱陰極蛍光ランプなどの照明器具を用いても良い。また、出力トランスは、１入力２出力型に特に限定されるものではなく、図２に示すように、巻線型１入力多出力トランスを用いることができる。図２中、Ｔ１，Ｔ２は、互いに一次側がパラレルに接続された、同一構造、同一規格の巻線型の１入力４出力型高圧出力トランスであり、これらの二次側に８本の冷陰極蛍光ランプ４２，４４，４６，４８，５０，５２，５４，５６が図示の如く結線されている。
【００１１】
ランプ４４，４６は直列に接続され、一方のランプ４４の一方の電極が、バラストコンデンサＣ６を介して出力トランスＴ１の二次巻線２８の高圧端子ｊに接続し、他方のランプ３４の一方の電極が、バラストコンデンサＣ７を介して出力トランスＴ１の二次巻線３０の高圧端子ｋに接続している。高圧端子ｊと高圧端子ｋは互いに逆相の関係にある。直列に接続されたランプ５２と５４の中、一方のランプ５２の一方の電極は、バラストコンデンサＣ１０を介して出力トランスＴ２の二次巻線３６の高圧端子ｎに接続し、他方のランプ５４の一方の電極は、バラストコンデンサＣ１１を介して、出力トランスＴ２の二次巻線３８の高圧端子ｏに接続している。高圧端子ｍと高圧端子ｏは互いに逆相の関係にある。前記出力トランスＴ２の二次巻線３６，３８の低圧端子ｆ，ｇはアースに接続し、出力トランスＴ１の二次巻線２８，３０の低圧端子ｂ，ｃはアースに接続している。
【００１２】
ランプ４２の一方の電極はバラストコンデンサＣ５を介して出力トランスＴ１の二次巻線２６の高圧端子ｉに接続し、他方の電極は出力トランスＴ１の二次巻線２６の低圧側のグランド端子ａに接続している。ランプ５６の一方の電極はバラストコンデンサＣ１２を介して出力トランスＴ２の二次巻線４０の高圧端子ｐに接続し、他方の電極は、二次巻線４０の、グランドされた低圧端子ｈに接続している。直列に接続されたランプ４８，５０の中、ランプ４８の一方の電極はバラストコンデンサＣ８を介して、出力トランスＴ１の二次巻線３２の高圧端子ｌに接続し、ランプ５０の一方の電極はバラストコンデンサＣ９を介して出力トランスＴ２の二次巻線３４の高圧端子ｍに接続している。高圧端子ｌと高圧端子ｍは互いに逆相の関係にある。出力トランスＴ１，Ｔ２の二次巻線３２，３４の低圧端子ｄ，ｅはグランドされている。
【００１３】
上記した構成において、出力トランスＴ１，Ｔ２の二次側をランプ４８，５０を介して接続することにより、互いの特性が平均化され、各々の特性のバラツキが除去される。これにより、出力トランスＴ１，Ｔ２の二次側によって駆動されるランプ４２，４４，４６，４８，５０，５２，５４，５６は互いに略同じ明るさで点灯する。
図３は、図２に示す実施形態の変形例を示している。
図３中、Ｔ１，Ｔ２は、互いに一次側がパラレルに接続された、同一構造、同一規格の巻線型の１入力４出力型高圧出力トランスであり、これらの二次側に８本の冷陰極蛍光ランプ４２，４４，４６，４８，５０，５２，５４，５６が図示の如く結線されている。
【００１４】
ランプ４２，５６は直列に接続され、一方のランプ４２の一方の電極が、バラストコンデンサＣ５を介して出力トランスＴ１の二次巻線２６の高圧端子ｉに接続し、他方のランプ５６の一方の電極が、バラストコンデンサＣ１２を介して出力トランスＴ１の二次巻線４０の高圧端子ｐに接続している。高圧端子ｉと高圧端子ｐは互いに逆相の関係にある。直列に接続されたランプ４４と５２の中、一方のランプ４４の一方の電極は、バラストコンデンサＣ６を介して出力トランスＴ１の二次巻線２８の高圧端子ｊに接続し、他方のランプ５４の一方の電極は、バラストコンデンサＣ１１を介して、出力トランスＴ２の二次巻線３８の高圧端子ｏに接続している。高圧端子ｊと高圧端子ｏは互いに逆相の関係にある。
【００１５】
直列に接続されたランプ４６，５２の一方の電極はバラストコンデンサＣ７を介して出力トランスＴ１の二次巻線３０の高圧端子ｋに接続し、他方の電極はバラストコンデンサＣ１０を介して出力トランスＴ２の二次巻線３６の高圧端子ｎに接続している。直列に接続されたランプ４８，５０の一方の電極はバラストコンデンサＣ３２を介して出力トランスＴ１の二次巻線３２の高圧端子l
に接続し、他方の電極は、バラストコンデンサＣ９を介して出力トランスＴ２の二次巻線３４の高圧端子ｍに接続している。高圧端子ｋと高圧端子ｎ，高圧端子ｌとｍは互いに逆相の関係にある。出力トランスＴ１，Ｔ２の二次巻線３２，３４の低圧端子ａ，ｂ，ｃ，ｄ，ｅ，ｆ，ｇ，ｈはそれぞれグランドされている。
【００１６】
上記した構成において、出力トランスＴ１，Ｔ２の二次側をランプ４２，５６，４４，５４，４６，５２，４８，５０を介して接続することにより、互いの特性が平均化され、各々の特性のバラツキが除去される。これにより、出力トランスＴ１，Ｔ２の二次側によって駆動されるランプ４２，４４，４６，４８，５０，５２，５４，５６は互いに略同じ明るさで点灯する。
次に本発明の他の実施形態を図４を参照して説明する。
図４において、Ｔ１，Ｔ２，Ｔ３は１入力２出力型の互いに同一構造、同一規格の高圧用出力トランスであり、各トランスの一次側の入力巻線Ｐ１がリード線によって並列に接続されている。出力トランスＴ１の入力端子Ａ，Ｂには、出力トランスＴ１の一次側に交流信号を供給する例えば、ロイヤー方式の並列共振インバータ回路や、直列共振インバータ回路、他励式インバータ回路が接続されている。各出力トランスＴ１，Ｔ２，Ｔ３の二次巻線Ｓ１，Ｓ２，の各巻き終わり端に接続する低圧側端子ａ，ｂ，ｃ，ｄ，ｅ，ｆは、アースに接続している。
【００１７】
Ｌ１，Ｌ６は冷陰極型蛍光ランプであり、互いに直列に接続されている。冷陰極型蛍光ランプＬ１の一方の電極は、バラストコンデンサＣ１を介して、出力トランスＴ１の二次巻線Ｓ１の巻き始め端に接続する高圧側端子ｇに接続し、冷陰極型蛍光ランプＬ６の一方の電極は、バラストコンデンサＣ６を介して、出力トランスＴ３の二次巻線Ｓ２の巻き始め端に接続する高圧側端子ｌに接続している。互いに直列に接続する一対のランプＬ２，Ｌ３の中、一方のランプＬ２の一方の電極は、バラストコンデンサＣ２を介して、出力トランスＴ１の二次巻線Ｓ２の巻き始め端に接続する、高圧側端子ｈに接続し、他方のランプＬ３の一方の電極は、バラストコンデンサＣ３を介して、出力トランスＴ２の二次巻線Ｓ１の巻き始め端に接続する高圧側端子ｉに接続している。
【００１８】
互いに直列に接続するランプＬ４，Ｌ５の中、一方のランプＬ４の一方の電極は、バラストコンデンサＣ４を介して、出力トランスＴ２の二次巻線Ｓ２の巻き始め端に接続する、高圧側端子ｊに接続し、他方のランプＬ５の一方の電極は、バラストコンデンサＣ５を介して、出力トランスＴ３の二次巻線Ｓ１の巻き始め端に接続する、高圧側端子ｋに接続している。各出力トランスＴ１，Ｔ２，Ｔ３の高圧側端子ｇとｈ，ｉとｊ，ｋとｌはそれぞれ互いに逆相の関係にあり、ランプＬ１とＬ６，Ｌ２とＬ３，Ｌ４とＬ５のそれぞれの接続点はみかけ上、ゼロボルトとなる。
【００１９】
上記した構成において、入力端子Ａ，Ｂから、出力トランスＴ１，Ｔ２，Ｔ３の一次側に交流信号が入力され、出力トランスＴ１，Ｔ２，Ｔ３の二次側に高圧の交流電圧が誘起されると、各ランプＬ１，Ｌ６、Ｌ２，Ｌ３、Ｌ４，Ｌ５の両端に高圧交流電圧が印加される。各出力トランスＴ１，Ｔ２，Ｔ３の二次巻線Ｓ１，Ｓ２の両端には、これらの両端に接続されている負荷も含めたトータルのインピーダンスに相当する電圧が発生する。このとき、例えば出力トランスＴ１の二次巻線Ｓ２と出力トランスＴ２の二次巻線Ｓ１には、直列に接続されたランプＬ２，Ｌ３を介して関連づいた電圧が発生する。同様に、出力トランスＴ１の二次巻線Ｓ１と出力トランスＴ３の二次巻線Ｓ２の両端には、直列に接続されたランプＬ１，Ｌ６を介して関連づいた電圧が発生する。また、出力トランスＴ２の二次巻線Ｓ２と出力トランスＴ３の二次巻線Ｓ１の両端には、ランプＬ４，Ｌ５を介して関連づいた電圧が発生する。
【００２０】
これにより、全ての出力トランスＴ１，Ｔ２，Ｔ３が関連づいて、全てのランプＬ１〜Ｌ６に均一の電流が流れ、明るさが均一となる。このことは、出力トランスＴ１，Ｔ２，Ｔ３の負荷インピーダンスに、もし、バラツキがあっても、関連づいた電圧が各出力トランスＴ１，Ｔ２，Ｔ３の二次巻線Ｓ１，Ｓ２に生じることを意味する。また、このとき、二次巻線Ｓ１とＳ２に電圧差が生じたときは、Ｓ１とＳ２の巻線に、分流トランスの動作が生じ、Ｓ１とＳ２を流れる電流が同じになろうとし、Ｓ１とＳ２の電流補正が行われる。以上の動作により、全てのランプＬ１〜Ｌ６が同じ明るさで点灯する。また、温度変化により、ランプのインピーダンス部品の定数が変化しても、上記の動作により、各ランプＬ１〜Ｌ６に安定した明るさが得られる。
【００２１】
上記のように、各出力トランスＴ１，Ｔ２，Ｔ３の二次巻線Ｓ１，Ｓ２の両端電圧が均一になることにより、各出力トランスＴ１，Ｔ２，Ｔ３の一次側の巻線Ｐ１の電圧もほぼ同じ値となり、安定したランプ駆動が可能となる。各出力トランスの一次側は、一次と二次の巻線比に相当した電圧が生じる。即ち、二次巻線に発生した電圧の巻き数比分の一の電圧が生じ、このことは、出力トランスＴ１，Ｔ２，Ｔ３の二次側の電圧がそれぞれほぼ等しければ、各出力トランスの一次側の電圧も等しくなり、供給される電力が同じになる。なお、本実施形態においても、ランプは特に冷陰極型蛍光ランプに限定されるものではなく、また出力トランスも巻線型に特に限定されるものではなく、圧電トランス等を用いることができる。
【００２２】
図５は、二次側をバイファイラ巻き（平行巻き）とし、１入力４出力とした複数のトランスＴＦ１，ＴＦ２，ＴＦを３個用い、１２本のランプＬ１〜Ｌ１２を駆動した実施形態を示している。図６，７はバイファイラ巻きの１入力４出力のトランスＴＦ１を示している。
図６において、１８２はコアであり、２個のコ字状のコアが接合してロの字状のコアを構成している。コア１８２の平行部分の一方には、一次用ボビン１８４が嵌挿配置されている。一次用ボビン１８４の中央には、端子台１８６が固設され、該端子台１８６に一次入力端子１８８，１９０が設けられている。前記ボビン１８４には、一次巻線１９２が装着され、該一次巻線１９２の両端はリード線を介して一次入力端子１８８，１９０に接続している。
【００２３】
前記一次用ボビン１８４の外側には、端子台１８６の両側に位置して、一対の二次用ボビン１９１，１９４が嵌挿配置されている。二次用ボビン１９１，１９４の各一端のパーティション１９６が、端子台１８６の両側面に当接している。図６においては、二次用ボビン１９１，１９４のパーティション１９６は、図面の複雑化を避けるため、図示省略してある。二次用ボビン１９１，１９４には、二重にした２本の線ａ，ｂによって、二次巻線１９８，２００が巻かれている。二重線からなる二次巻線１９８，２００の巻き始め端は、リード線を介して、二次用ボビン１９１，１９４の各々の端子台２０２，２０４に設けられた二次高圧端子２０６，２０８，２１０，２１２に接続し、巻き終わり端は、リード線を介して、グランド端子２１４，２１６，２１８，２２０に接続している。
【００２４】
上記した構成において、一次巻線１９２と二次巻線１９８，２００との関係はボビンの二層構造において、一次巻線の両側に二次巻線１９８，２００が配置されることになり、単純な構造によって多出力を構成することができる。本実施形態において、二次巻線を構成する二重の平行線には高圧がかかるが、この高圧は互いに同電位であるため、平行二次巻線間にショートや電流の漏れが生じることはない。また、コア１８２の他方の平行部分１８２ａも同様な構成とすることができ、この上下対称の構造とした場合には、一次側を直列又は並列に接続して一入力とし、８出力を実現できる。また、二次巻線の巻き線の本数を３本或いは４本等とすることにより、更に多出力が可能となる。
図５において、ＴＦ１，ＴＦ２，ＴＦ３は、一次側の入力端１８８，１８９がリード線によって並列に接続されている。出力トランスＴＦ１の入力端子１８８，１８９には、出力トランスＴＦ１の一次側に交流信号を供給する例えば、ロイヤー方式の並列共振インバータ回路や、直列共振インバータ回路、他励式インバータ回路が接続されている。
【００２５】
各出力トランスＴＦ１，ＴＦ２，ＴＦ３の二次巻線１９８，２００の各巻き終わり端に接続する低圧側端子２１４，２１６，２１８，２２０は、アースに接続している。Ｌ１とＬ１２，Ｌ２とＬ１１は冷陰極型蛍光ランプであり、それぞれ互いに直列に接続されている。冷陰極型蛍光ランプＬ１，Ｌ２の一方の電極は、バラストコンデンサＣ１，Ｃ２を介して、出力トランスＴＦ１の二次巻線の巻き始め端に接続する高圧側端子２０６，２０８に接続し、冷陰極型蛍光ランプＬ１２，Ｌ１１の一方の電極は、バラストコンデンサＣ１２，Ｃ１１を介して、出力トランスＴＦ３の二次巻線の巻き始め端に接続する高圧側端子２１０，２１２に接続している。互いに直列に接続する一対のランプＬ３，Ｌ６と一対のランプＬ４，Ｌ５の中、一方のランプＬ３，Ｌ４の一方の電極は、バラストコンデンサＣ３，Ｃ４を介して、出力トランスＦＴ１の二次巻線２００の巻き始め端に接続する、高圧側端子２１２，２１０に接続し、他方のランプＬ５，Ｌ６の一方の電極は、バラストコンデンサＣ５，Ｃ６を介して、出力トランスＴＦ２の二次巻線の巻き始め端に接続する高圧側端子２０６，２０８に接続している。
【００２６】
互いに直列に接続するランプＬ７，Ｌ１０と一対のランプＬ８，Ｌ９の中、一方のランプＬ７，Ｌ８の一方の電極は、バラストコンデンサＣ７，Ｃ８を介して、出力トランスＴＦ２の二次巻線の巻き始め端に接続する、高圧側端子２１２，２１０に接続し、他方のランプＬ９，Ｌ１０の一方の電極は、バラストコンデンサＣ９，Ｃ１０を介して、出力トランスＴＦ３の二次巻線の巻き始め端に接続する、高圧側端子２０６，２０８に接続している。各出力トランスＴＦ１，ＴＦ２，ＴＦ３の高圧側端子２０６，２０８と、高圧側端子２１０，２１２とはそれぞれ互いに逆相の関係にあり、ランプＬ１とＬ１２，Ｌ２とＬ１１，Ｌ３とＬ６，Ｌ４とＬ５，Ｌ７とＬ１０，Ｌ８とＬ１０，Ｌ８とＬ９のそれぞれの接続点はみかけ上、ゼロボルトとなる。なお、本実施形態においても、ランプは特に冷陰極型蛍光ランプに限定されるものではなく、また出力トランスも巻線型に特に限定されるものではなく、圧電トランス等を用いることができる。
【００２７】
上記した構成において、回路の入力端子Ａ，Ｂから、出力トランスＴＦ１，ＴＦ２，ＴＦ３の一次側に交流信号が入力され、出力トランスＴＦ１，ＴＦ２，ＴＦ３の二次側に高圧の交流電圧が誘起されると、各ランプＬ１，Ｌ１２、Ｌ２，Ｌ１１、Ｌ３，Ｌ６、Ｌ４，Ｌ５、Ｌ７，Ｌ１０、Ｌ８，Ｌ９の両端に高圧交流電圧が印加される。各出力トランスＴＦ１，ＴＦ２，ＴＦ３の二次巻線１９８，２００の両端には、これらの両端に接続されている負荷も含めたトータルのインピーダンスに相当する電圧が発生する。このとき、例えば出力トランスＴＦ１の二次巻線２００と出力トランスＴＦ２の二次巻線１９８には、直列に接続されたランプＬ２，Ｌ６とランプＬ４，Ｌ５を介して関連づいた電圧が発生する。同様に、出力トランスＴＦ１の二次巻線１９８と出力トランスＴＦ３の二次巻線２００の両端には、直列に接続されたランプＬ１，Ｌ２とＬ１１，Ｌ１２を介して関連づいた電圧が発生する。また、出力トランスＴＦ２の二次巻線２００と出力トランスＴＦ３の二次巻線１９８の両端には、ランプＬ７，Ｌ１０と，Ｌ８，Ｌ９を介して関連づいた電圧が発生する。
【００２８】
これにより、全ての出力トランスＴＦ１，ＴＦ２，ＴＦ３が関連づいて、全てのランプＬ１〜Ｌ１２に均一の電流が流れ、明るさが均一となる。このことは、出力トランスＴＦ１，ＴＦ２，ＴＦ３の負荷インピーダンスに、もし、バラツキがあっても、関連づいた電圧が各出力トランスＴＦ１，ＴＦ２，ＴＦ３の二次巻線１９８，２００に生じることを意味する。また、このとき、二次巻線１９８と２００に電圧差が生じたときは、二次巻線１９８と２００の巻線に、分流トランスの動作が生じ、二次巻線１９８と２００を流れる電流が同じになろうとし、二次巻線１９８と２００の電流補正が行われる。二次巻線１９８の巻線ａ，ｂ間も同様に分流トランスの動作により電流補正が行われ、二次巻線２００の巻線ａ，ｂ間も同様に分流トランスの動作により、電流補正が行われる。以上の動作により、全てのランプＬ１〜Ｌ１２が同じ明るさで点灯する。
【００２９】
また、温度変化により、ランプのインピーダンス部品の定数が変化しても、上記の動作により、各ランプＬ１〜Ｌ１２に安定した明るさが得られる。上記のように、各出力トランスＴＦ１，ＴＦ２，ＴＦ３の二次巻線１９８，２００の両端電圧が均一になることにより、各出力トランスＴＦ１，ＴＦ２，ＴＦ３の一次側の巻線１９２の電圧もほぼ同じ値となり、安定したランプ駆動が可能となる。各出力トランスの一次側は、一次と二次の巻線比に相当した電圧が生じる。即ち、二次巻線に発生した電圧の巻き数比分の一の電圧が生じ、このことは、出力トランスＴＦ１，ＴＦ２，ＴＦ３の二次側の電圧がそれぞれほぼ等しければ、各出力トランスの一次側の電圧も等しくなり、供給される電力が同じになる。
【００３０】
図８は、トランスにおけるワイヤの平行巻きの他の実施形態を示している。
コア１３０が内蔵されたボビン１３２に絶縁材１３４を介して、第１の二次巻線１３６を積層して巻き回し、この第１の二次巻線１３６の上に、絶縁材１３８を介して、第１の二次巻線１３６と同じ巻き数で、第２の二次巻線１４０を積層して巻き回し、図５の２本の巻線ａ，ｂに相当する、第１と第２の二次巻線１３６，１４０を、積層構造として構成するようにしても良い。なお、上記第１の二次巻線１３６を２本以上の線からなるバイファイラ巻きとし、同様に第２の二次巻線１４０を２本以上の線からなるバイファイラ巻きとしても良い。図８において、第１と第２の二次巻線１３６，１４０をそれぞれ２本のワイヤ（線）により構成すれば、１入力４出力の巻線型トランスを構成することができる。この積層構造のトランスは、本発明の実施形態のすべてに使用することができる。
【００３１】
次に、本発明の他の実施形態を図９を参照して説明する。
図９において、出力トランスＴ１，Ｔ２，Ｔ３は、互いに同一規格の、且つ、同一コアにバイファイラ巻きで巻かれた二次巻き線を有する１入力４出力型の巻線トランスであり、各一次側の入力端ａ，ｂがリード線によって並列に接続されている。尚、上記出力トランスＴ１，Ｔ２，Ｔ３は、二次巻き線が同一コアにバイファイラ巻きで巻かれた巻線型トランスに特に限定されるものではなく、異なるコアに巻かれていても良く、また、圧電トランス等、要するに、１入力複数出力型のトランスであればどのような構造のトランスであっても良い。
出力トランスＴ１の入力端ａ，ｂは、４個のＦＥＴＱ１，Ｑ２，Ｑ３，Ｑ４からなるフルブリッジ型の自励発振回路５６の出力部に、共振コンデンサＣｏを介して接続している。前記共振コンデンサＣｏと、出力トランスＴ１の一次巻線は直列に接続され、出力トランスＴ１の一次側にＬＣ直列共振回路を構成している。
【００３２】
出力トランスＴ１の一次側の、ＬＣ直列共振回路の中点に位置する入力端ａには、位相検出回路５８が接続され、リード線を通じて、出力トランスＴ１の一次側の位相信号が、前記自励発振回路の５６の制御部（図示省略）へ供給されるように構成されている。尚、出力トランスＴ１の一次側に交流信号を供給する電源回路は、フルブリッジ型の自励発振回路５６に特に限定されるものではなく、ロイヤー方式の並列共振インバータ回路、他励式インバータ回路等を用いることができる。出力トランスＴ１，Ｔ２，Ｔ３の二次側の、合計１２個の全てのコイルＳ１〜Ｓ１２の各出力端は、閉ループを形成するループ回路上で、互いに直列に接続している。このループ回路は、コイルＳ１の一方の出力端ｐ１を基準とすると、この出力端ｐ１から始まり、コイルＳ１の他方の出力端ｐ３に戻る一本の閉ループ電流搬送路により構成される。
【００３３】
前記ループ回路の経路は、出力端ｐ１、端子台ＣＮ２の端子ｅ、ランプＬ１（ＣＣＦＬ）、ランプＬ２、コイルＳ１１、抵抗Ｒｓ、抵抗Ｒｓ、コイルＳ１０、端子台ＣＮ５の端子ｆ、ランプＬ３，Ｌ４、端子台ＣＮ３の端子ｇ、コイルＳ８、抵抗Ｒｓ、抵抗Ｒｓ、コイルＳ５、端子台ＣＮ２の端子ｉ、コイルＳ３、抵抗Ｒｓ、抵抗Ｒｓ、コイルＳ２、端子台ＣＮ１の端子ｊ、ランプＬ７，Ｌ８、端子台ＣＮ５の端子ｋ、コイルＳ１２、抵抗Ｒｓ、抵抗Ｒｓ、コイルＳ９、端子台ＣＮ６の端子ｌ、ランプＬ９，Ｌ１０、コイルＳ７、抵抗Ｒｓ、抵抗Ｒｓ、コイルＳ６、端子台ＣＮ３の端子ｍ、ランプＬ１１，Ｌ１２、端子台ＣＮ１の端子ｎ、コイルＳ４、抵抗Ｒｓ、抵抗Ｒｓを順次経てコイルＳ１の他方の出力端ｐ３に至る閉ループにより構成されている。各出力トランスＴ１，Ｔ２，Ｔ３のコイルの接続点ｒ１，ｒ２、ｒ３、ｒ５，ｒ６には、それぞれ、ツェナーダイオードＺＤ，ＺＤあるいはサージアブソーバ等で構成される電圧クランプ回路６０が接続されている。
【００３４】
出力トランスＴ２の接続点ｒ４は、シャント抵抗Ｒｓからリード線６８を通じてランプ電流検出信号を取るためグランドに接続されている。前記各出力トランスＴ１，Ｔ２，Ｔ３の各コイルの接続点ｒ１，ｒ２、ｒ３、ｒ５，ｒ６は、それぞれダイオードＤ及び電圧検出回路６６を介して、ランプオープン検出用コンパレータ６２とランプ劣化検出用コンパレータ６４の入力端に接続している。出力トランスＴ１，Ｔ２，Ｔ３のそれぞれの出力端ｐ１，ｐ２，ｐ９，ｐ１０，ｐ１７，ｐ１８は互いに同相であり、れらの出力端に対して、出力端ｐ７，ｐ８，ｐ１５，ｐ１６，ｐ２３，ｐ２４は、逆相となっている。また、出力端ｐ３，ｐ４，ｐ１１，ｐ１２，ｐ１９，ｐ２０は互いに同相であり、これらの出力端に対して、出力端ｐ５，ｐ６，ｐ１３，ｐ１４，ｐ２１，ｐ２２は逆相となっている。この関係によって、互いに直列に接続する一対のランプの各接続点、及びコイルの各接続点ｒ１〜ｒ６は、見かけ上、ゼロボルトとなっている。前記コンパレータ６２，６４の出力端はそれぞれ自励発振回路５６の制御部に接続している。
【００３５】
上記した構成において、自励発振回路５６の出力部から出力トランスＴ１，Ｔ２，Ｔ３の一次側Ｐに交流信号が入力され、出力トランスＴ１，Ｔ２，Ｔ３の二次側に高電圧が誘起されると、各ランプＬ１〜Ｌ１２に、各出力トランスＴ１，Ｔ２，Ｔ３のコイルをループ状に接続するループ回路を通じて、同一の電流が流れ、各ランプＬ１〜Ｌ１２が同一の輝度で点灯する。ループ回路上の、いずれかのランプや配線、あるいは出力トランスの巻線に断線が生じると、ループ回路に出力トランスＴ１，Ｔ２，Ｔ３の出力数分の高電圧が発生する。この高電圧が発生すると、ループ回路の電圧バランスがくずれ、コイル接続点ｒ１〜ｒ６に、設定されたツェナー電圧を越える電圧が発生する。このとき、ループ回路は、電圧クランプ回路６０を通じてグランドに接続され、ループ回路は所定の電圧にクランプされる。
【００３６】
これにより、ループ回路に異常高圧が発生するのを防止する。一方、接続点ｒ１〜ｒ６に異常電圧が発生すると、この電圧信号は、ダイオードＤを通じて、電圧検出回路６６により検出され、この検出信号が、コンパレータ６２，６４に入力される。コンパレータ６２は、ランプオープン検出信号を出力し、自励発振回路５６の駆動が停止する。また、ランプＬ１〜Ｌ１２が劣化し、ループ回路のバランスがくずれると、無効電力として、アンバランス電流が、電圧クランプ回路６０に流れ、ランプ劣化信号が得られる。このランプ劣化信号は、コンパレータ６４に供給され、コンパレータ６４がランプ劣化検出信号を出力し、自励発振回路５６が停止する。なお、本実施形態では、出力トランスＴ１，Ｔ２，Ｔ３の一次側Ｐをそれぞれ、自励発振回路５６の出力部に並列接続させたが、特にこの接続方式に限定されるものではなく、直列接続でも良い。
【００３７】
図１１は、複数のランプをループ状に接続した構成の変形例を示している。
出力トランスＴ１，Ｔ２，Ｔ３は、図１０に示すように、Ｕ字型の上部コア２２２と下部コア２２４を備え、上部コア２２２の垂直コア部分と一対の平行コア部分２２２ａ，２２２ｂに１次コイルＰと４個の二次コイルＳ１，Ｓ２，Ｓ３，Ｓ４がボビン（図示省略）を介して取り付けられている。二次コイルＳ１，Ｓ２とＳ３，Ｓ４は、それぞれ図６に示すような平行巻きとしても良い。図１１において、出力トランスＴ１，Ｔ２，Ｔ３の一次側は、図９に示す構成と同一であり、この部分は省略されている。互いに直列に接続された一対のランプＬ１，Ｌ２、ランプＬ３，Ｌ４、ランプＬ５，Ｌ６、ランプＬ７，Ｌ８、ランプＬ９，Ｌ１０、ランプＬ１１，１２はそれぞれ図示の如く、出力トランスＴ１，Ｔ２，Ｔ３の二次側の高圧出力端子に結線されている。各一対のランプの一方側ａと他方側ｂに接続する出力トランスの二次側の高圧端子は互いに逆相となっている。即ち、出力端子ＡとＬは互いに逆相であり、同様に、ＤとＥ、ＨとＩ、ＭとＸ、ＰとＱ、ＴとＵは互いに逆相である。
【００３８】
各出力トランスＴ１，Ｔ２，Ｔ３の二次コイルＳ１とＳ４の片側の、互いに逆相の関係にある、端子ＮとＣ、ＲとＧ、ＶとＫは、図１１に示すように、抵抗ＲＳ１，ＲＳ４を介して接続している。二次コイルＳ２とＳ３の片側の、互いに逆相の関係にある、端子ＢとＯ、ＦとＳ、ＪとＷは、抵抗ＲＳ２，ＲＳ３を介して接続するとともに、１Ｍオームの高抵抗Ｒ１，Ｒ２を介して接地されている。出力トランスＴ１，Ｔ２，Ｔ３の二次側の、合計１２個の全ての二次コイルＳ１，Ｓ２，Ｓ３，Ｓ４の各出力端は、閉ループを形成する１本のループ回路上で、互いに直列に接続している。このループ回路は、出力トランスＴ２の二次コイルＳ４の片側の端子Ｈを基準とすると、この端子Ｈから始まり、出力トランスＴ３のコイルＳ１，Ｓ４、ランプＬ６，Ｌ５、出力トランスＴ２のコイルＳ２，Ｓ３、ランプＬ７，Ｌ８、出力トランスＴ１のコイルＳ１，Ｓ４、ランプＬ３，Ｌ４、出力トランスＴ３のコイルＳ２，Ｓ３、ランプ１２，１１、出力トランスＴ２のコイルＳ１，Ｓ４を経て、この端子Ｈに戻る１本の閉ループ電流搬送路により構成される。尚、図中Ｎはコネクタである。
【００３９】
図１０に示す出力トランスにおいて、巻線を平行巻きとしない場合は、２次巻線Ｓ１とＳ２の間が離れ、また、２次巻線Ｓ３とＳ４の間が離れているので、互いの容量結合が回避されている。これにより、１本のループ上に全てのランプを直列に接続した図１１に示す閉ループ結合回路において、２次巻線間の容量結合による閉ループ回路の短絡現象を防止することができる。また、図１７に示すように、コア２４０の直線部分の真ん中に１次巻線Ｐ、その両側に２次巻線Ｓ１，Ｓ２をボビン（図示省略）を介して配置した１入力２出力型の出力トランスＴ１，Ｔ２を２個（２個以上でもよい）設け、各出力トランスＴ１，Ｔ２の１次巻線Ｐを並列に接続して、図１に示す回路、あるいは、図１１に示す閉ループ回路を構成すれば、２次巻線間の容量結合による短絡現象をより効果的に防止することができる。図１７において、２次端子ａとｂ、ｃとｄは、それぞれ互いに逆相の関係となっている。即ち、端子ａ，ｃにプラスの高圧電圧が現れたときは、端子ｂ，ｄには、同時にマイナスの逆相の高圧電圧が現れる。各出力トランスのコアの直線部分２４０ａの両端は、下部コア２４０ｂにより磁気的に結合している。尚、図１７に示す出力トランスＴ１とＴ２を下部コアで図１９に示すように１つに結合しても良い。
【００４０】
図１９は、１入力４出力型の出力トランスを示している。図１９において、上部コアの平行コア部分２４２，２４４は、それぞれ両端が下部コア２４６によって結合し、１次巻線Ｐを、平行コア部分２４２と２４４の中央にそれぞれボビン（図示省略）を介して巻いて、１次巻線を形成している。１次巻線は、それぞれの平行コア部分２４２と２４４にボビン（図示省略）を介して巻いてこれらを並列または直列に接続しても、又、図示するように、１次巻線Ｐをコアの平行コア部分２４２と２４４にボビン（図示省略）を介してまたがって巻き回し、１次巻線Ｐを構成しても良い。１次巻線Ｐの両側にはそれぞれ２次巻線Ｓ１，Ｓ２，Ｓ３，Ｓ４が図示の如く、平行コア部分２４２，２４４にボビン（図示省略）を介して装着されている。図１７，図１９中、Ｌ１，Ｌ２，Ｌ３，Ｌ４は、冷陰極型蛍光ランプからなる照明器具である。図２１は、Ｈ型のコアにより平行コア部分２４２，２４４と垂直コア部分２４８を形成した４出力型の出力トランスを示している。この出力トランスの垂直コア部分２４８以外の他の構成は図１９に示すＩ型のコアを用いた出力トランスの構成と同一である。このような構成の出力トランスを用いて、多出力トランスを用いた照明器具駆動回路における２次巻線間の容量結合の悪影響を防止できる。
【００４１】
次に図１１に示す実施形態を改良した実施形態を図１２を参照して説明する。
ランプ駆動回路に使用される出力トランスは、通常は、図１０Ａに示すように、磁力線２２６，２２８が、上部コア２２２の一方のコア部２２２ａと、他方のコア部２２２ｂに発生する。コア部２２２ａの二次コイルＳ１，Ｓ２とコア部２２２ｂの二次コイルＳ３，Ｓ４の電流にアンバランスが生じると、コア部２２２ａとコア部２２２ｂとの間にカップリングコンデンサＸが生じ、磁力線２３０が下部コア２２４に発生する。この磁力線２３０により、コア部２２２ａ、２２２ｂ間に電流が流れ、この電流は全て無効な電流となり、コア部２２２ａの二次コイルＳ１，Ｓ２と、コア部２２２ｂの二次コイルＳ３，Ｓ４を流れる電流にアンバランスが生じる。本発明はこの現象を解消するため、図１２に示すように、各出力トランスＴ１，Ｔ２，Ｔ３の二次コイルＳ１とＳ２の互いに同相の片側の端子ＮＢ，ＯＣ，ＲＦ，ＳＧ，ＶＪ，ＷＫを接続（短絡）するとともに、この短絡線の各中点ＡＢを線２３２により、直列に接続（短絡）し、この線２３２の中点を、１Ｍオームの高抵抗２３４を通じてグランドに接続している。
【００４２】
上記のように、Ａ点とＢ点を線２３２で直列に接続すると、ＡＢ間で電流が流れて、各出力トランスＴ１，Ｔ２，Ｔ３の二次コイルＳ１，Ｓ２と二次コイルＳ３，Ｓ４は、等しい電圧（電位）となる。出力トランスＴ１，Ｔ２，Ｔ３の二次側の、合計１２個の全ての二次コイルＳ１〜Ｓ４の各出力端は、閉ループを形成する１本のループ回路上で互いに直列に接続する。１２本のランプＬ１〜Ｌ１２は、上記ループ回路に直列に接続し、該１２本のランプに、ＡＢ間を接続した線２３２を通って電流が流れる。全ランプに電流が流れるとき、各出力トランスの二次コイルＳ１とＳ２、又は、Ｓ３とＳ４は、分流チョーク（分流トランス）の動作により、同電位となり、且つ、Ａ，Ｂ点が接続されていることにより、二次コイルＳ１，Ｓ２と、二次コイルＳ３，Ｓ４は、より近い電圧となる。Ａ，Ｂ点を接続し、高抵抗２３４を通してグランドに接続したことにより、高抵抗２３４を通してグランドに流れた電流に相当する電圧がＣ点に発生する。理論的には、Ｃ点はゼロボルトであるが、出力トランスの浮遊容量やリーケージインダクタ等による、二次コイルＳ１，Ｓ２と二次コイルＳ３，Ｓ４間のアンバランスにより、ゼロボルトからずれた電位をもつ。この電位が安全な電圧となるように、抵抗２３４の値を決めるのが良いが、外部の温度等の状況により、Ｃ点の電位が変動するので、本実施形態では、一応、１Ｍオームにしてある。しかし、この抵抗値は限定的なものではなく、前記閉ループの全インピーダンスより高い値の中から適宜の値を選択できる。
【００４３】
また、本発明の実施に際し、線２３４を高抵抗２３４を介して接地することは必須要件ではない。二次コイルＳ１，Ｓ２と二次コイルＳ３，Ｓ４間のアンバランスが大きくなると、高抵抗２３４を通して流れるアンバランス電流が増加することとなる。この電流は全て無効電流となり、効率悪化の原因となるのであるが、本実施形態では、Ａ，Ｂ点を直列接続することにより、二次コイルＳ１〜Ｓ４の間で生じたアンバランス状態は、互いの間でアンバランス分の電流が流れて、このアンバランスが補正され、Ｃ点の電位がゼロとなり、各ランプＬ１〜Ｌ１２の輝度が一定となる。また、コア部２２２ａと２２２ｂにおける容量性の電荷の漏れや、コア部２２２ａ，２２２ｂ間を渡る磁束２３０も減ることになる。図１２に示す本実施形態の他の構成は、図１１に示す実施形態と同一である。
【００４４】
図１３は、出力トランスＴ１，Ｔ２，Ｔ３の二次側の、合計１２個の全ての二次コイルＳ１〜Ｓ４の各出力端を、閉ループを形成するループ回路上で、互いに直列に接続した実施形態を示している。各一対のランプの一方と、他方は、それぞれ逆相の関係にある二次コイルの出力端に接続している。各出力トランスの二次側のＡ，Ｂ点を短絡した接続回路構成は図１２に示す構成と同じであるが、図１１に示す構成としても良い。
図１４は、各トランスＴ１〜Ｔ３ごとに、閉ループ電流搬送路を形成し、各電流搬送路に直列に４本のランプＬ１〜Ｌ４を接続した構成を示している。図１５は、バックライトユニット基板２３６に対するランプＬ１〜Ｌ１２の好適な配置例を示している。基板２３６上のランプの左端の接続端子が交互に逆相となるように配置されている。図１５の回路において、全てのランプは閉ループ回路に直列に接続されており、この構成は図１３の構成と同一である。
【００４５】
図中、−ＨＶと＋ＨＶは互いに逆相の二次高圧出力を示している。例えば、順に並んだ各ランプの接続端子ａ，ｃ，ｅ，ｇ，ｉ，ｋに出力−ＨＶが印加されるとき、接続端子ｂ，ｄ，ｅ，ｈ，ｊ，ｌには、出力＋ＨＶが印加される。このように、構成することで良好なランプの駆動特性が得られることが実験的に確認されている。各ランプＬ１〜Ｌ１２の左側の接続端子が交互に逆相となる構成であれば、本発明は図１５に示すランプの配置に特に限定されるものではなく、図中、矢印で示す位置にランプの位置を変更しても良く、その他の配置を選択できる。また、本発明では、各一対のランプは直管型のランプを採用し、これらをリード線で接続した構成としているが、この構成に特に限定されるものではなく、一対のランプの替わりに１本のＵ字管のランプを使用することができる。また、本発明で使用した各出力トランスは同一規格であり、各二次コイルの巻き数も同一である。
【００４６】
また、本発明は図１６に示すように、二次巻線Ｓ１〜Ｓ１２を同一コアに巻いた１入力１２出力型などの１入力多出力型の単一の出力トランスを用いても、多数のランプＬ１〜Ｌ１２を均一に点灯することが可能である。図１６に示す実施形態は、図１３及び図１５に示す３個の出力トランスＴ１〜Ｔ３に替えて、１つの出力トランスＴ１を用いた構成以外は全て図１３及び図１５に示す実施形態と同一である。即ち、図１６の実施形態は、多数ランプの閉ループ接続の変形例を示すものである。また、各二次コイルの巻き数も同一であり、１次コイルは図示省略されている。
【図面の簡単な説明】
【００４７】
【図１】本発明に係る照明器具駆動回路の回路図である。
【図２】本発明の他の実施形態を示す回路図である。
【図３】本発明の他の実施形態を示す回路図である。
【図４】本発明の他の実施形態を示す回路図である。
【図５】本発明の他の実施形態を示す回路図である。
【図６】巻線型トランスの平面説明図である。
【図７】巻線型トランスの外観説明図である。
【図８】平行巻きトランスの他の実施形態を示す断面図である。
【図９】本発明の他の実施形態を示す回路図である。
【図１０】出力トランスの説明図である。
【図１１】本発明の他の実施形態を示す回路図である。
【図１２】本発明の他の実施形態を示す回路図である。
【図１３】本発明の他の実施形態を示す回路図である。
【図１４】本発明の他の実施形態を示す回路図である。
【図１５】本発明の他の実施形態を示す回路図である。
【図１６】本発明の他の実施形態を示す回路図である。
【図１７】本発明の他の実施形態を示す説明図である。
【図１８】出力トランスの説明図である。
【図１９】本発明の他の実施形態を示す説明図である。
【図２０】出力トランスの説明図である。
【図２１】本発明の他の実施形態を示す説明図である。
【図２２】出力トランスの説明図である。
【図２３】従来技術の回路図である。
【符号の説明】
【００４８】
２      入力巻線  
４      入力巻線        
６      リード線
８      リード線
１０    二次巻線
１２    二次巻線
１４    二次巻線
１６    二次巻線
１８    ランプ
２０    ランプ
２２    ランプ
２４    ランプ
２６    二次巻線
２８    二次巻線
３０    二次巻線
３２    二次巻線
３４    二次巻線
３６    二次巻線
３８    二次巻線
４０    二次巻線
４２    ランプ
４４    ランプ
４６    ランプ
４８    ランプ
５０    ランプ
５２    ランプ
５４    ランプ
５６    自励発振回路
５８    位相検出回路
６０    電圧クランプ回路
６２    コンパレータ
６４    コンパレータ
６６    電圧検出回路
６８    リード線
１３０  コア
１３２  ボビン
１３４  絶縁材
１３６  二次巻線
１３８  絶縁材
１４０  二次巻線
１８２  コア
１８４  ボビン
１８６  端子台
１８８  入力端子
１９０  入力端子
１９２  ボビン
１９４  ボビン
１９６  パーティション
１９８  二次巻線
２００  二次巻線
２０２  端子台
２０４  端子台
２０６  高圧端子
２０８  高圧端子
２１０  高圧端子
２１２  高圧端子
２１４  グランド端子
２１６  グランド端子
２１８  グランド端子
２２０  グランド端子
２２２  上部コア
２２４  下部コア
２２６  磁力線
２２８  磁力線
２３０  磁力線
２３２  線
２３４  高抵抗
２３６  基板
２４０  コア
２４２  平行コア部分
２４４  平行コア部分
２４６  下部コア
２４８  垂直コア部分
【図１】
2006127789.tif 000003
【図２】
2006127789.tif 000004
【図３】
2006127789.tif 000005
【図４】
2006127789.tif 000006
【図５】
2006127789.tif 000007
【図６】
2006127789.tif 000008
【図７】
2006127789.tif 000009
【図８】
2006127789.tif 000010
【図９】
2006127789.tif 000011
【図１０】
2006127789.tif 000012
【図１１】
2006127789.tif 000013
【図１２】
2006127789.tif 000014
【図１３】
2006127789.tif 000015
【図１４】
2006127789.tif 000016
【図１５】
2006127789.tif 000017
【図１６】
2006127789.tif 000018
【図１７】
2006127789.tif 000019
【図１８】
2006127789.tif 000020
【図１９】
2006127789.tif 000021
【図２０】
2006127789.tif 000022
【図２１】
2006127789.tif 000023
【図２２】
2006127789.tif 000024
【図２３】
2006127789.tif 000025